(57)【要約】【課題】  薬液を再噴霧した時に噴霧機能が損なわれることがないように、薬液注出口先端に生じた液カスを容易に除去することのできるスプレーヘッドを提供する。【解決手段】  気体通路１３が分岐したＹ字管１と、このＹ字管１の先端１１に接続されたプラスチックチューブ２と、このプラスチックチューブ２の先端２１に冠着されたノズル３および、容易に屈曲可能な金属チューブ４とを含んでなる。ノズル３の先端は閉塞されており、その先端閉塞部には軸上に孔３１が設けられるとともに、この孔３１に隣接して外側に複数の気体流出口３２が設けられている。金属チューブ４は、Ｙ字管１の基端１２から挿通されてその内腔１４、プラスチックチューブ２の内腔２２およびノズル３の孔３１を貫通してその先端４１がノズル３の先端から僅かに突出されている。【選択図】      図１
2007090347.tif 000002
【特許請求の範囲】
【請求項１】
先端と基端を有し気体通路が分岐したＹ字管と、該Ｙ字管の先端に接続された軟質プラスチック製チューブと、該軟質プラスチック製チューブの先端に冠着されたノズルおよび、前記プラスチック製チューブの内径より小さな外径を有し基端にハブを備えた容易に屈曲可能な金属製チューブとを含んでなり、前記ノズルは先端が閉塞されており、該閉塞先端部の軸上に前記金属製チューブを挿通可能な孔が設けられるとともに、該孔に隣接して外側に複数の気体流出口が設けられており、前記金属製チューブは、前記Ｙ字管の基端から挿通されてＹ字管の内腔、プラスチック製チューブの内腔およびノズルの孔を貫通してその先端がノズルの先端から僅かに突出されるとともに、ハブが前記Ｙ字管の基端部に固定されてなる生体接着剤投与用スプレーヘッド。
【請求項２】
Ｙ字管の基端に、基端にシリンジ挿着部を有し先端にＹ字管接続部を有するアダプタを接続してなる請求項１に記載のスプレーヘッド。
【発明の詳細な説明】
【技術分野】
【０００１】
本発明は生体接着剤投与用スプレーヘッドに関する。より詳しくは、本発明は、動物性蛋白質を主成分とする生体組織接着用の接着剤を人間又は動物に対して適用する際に使用する投与具の先端部分を構成するスプレーヘッドに関する。本発明のスプレーヘッドは、特に開頭、開腔、開胸手術などに際して、裸眼で識別し難い複雑な部位に生体接着剤を投与するのに適している。
【背景技術】
【０００２】
動物性蛋白質を主成分とする生体接着剤は、蛋白質の溶液とこの蛋白質の凝塊形成を促進する凝固因子の溶液とを混ぜ合わせることにより形成される。そして、この種の生体接着剤としては、たとえば第XIII因子およびフィブリノーゲンを含有する溶液とトロンビン含有溶液とを２成分とするものなどが知られており、生体接着剤として広く使用されている。
これらの接着剤の２成分を適用する方法としては、異なる２成分をそれぞれ別の２本のシリンジ体に予め収納しておき、これらのシリンジ体に収納された２つの溶液を同時に注出または噴霧させて、２つの溶液を混合させながら塗布する方法や、１つの溶液を注出または噴霧させた後で、もう１つの溶液を注出または噴霧させて両者を混合・塗布させる方法があり、適用部位の形状や位置によって適宜使い分けられている。特に噴霧タイプの生体接着剤投与具は、均質な薬液の混合が可能なことから多用されている。
【０００３】
しかしながら、上記従来の方法を採用した生体接着剤投与具の内、噴霧タイプの生体接着剤投与具は、薬液注出口先端に、薬液噴霧後に噴霧した薬液が固まって所謂液カスが生じ、その結果、薬液を再噴霧した時に、噴霧機能が損なわれるという欠点を有していた。また、液カスを除去する場合、従来は手術用手袋を着けた状態で除去操作を行っており、噴霧タイプの生体接着剤投与具は薬液注出口がエアー流出口より１ｍｍ程度しか突出していないため、除去操作が面倒な上、一層ノズル内に詰めてしまうことがあった。従って、裸眼で識別し難い複雑な部位に生体接着剤を投与する場合には、少しずつ接着を行っていく所謂段階的な接着を必要とすることが多いにも拘らず、交互に薬液を噴霧する方法を採用することが困難であった。
【発明の開示】
【発明が解決しようとする課題】
【０００４】
本発明は、如上の事情に鑑みてなされたもので、薬液を再噴霧した時に噴霧機能が損なわれることがないように、薬液注出口先端に生じた液カスを容易かつ確実に除去することのできるスプレーヘッドを提供することを目的とする。
【課題を解決するための手段】
【０００５】
本発明者は上記課題を解決するために、鋭意検討の結果、内側の金属製チューブと外側の軟質プラスチック製チューブからなる二重管と、その軟質プラスチック製チューブの先端に取り付けたノズルからなる構成を採用することにより上記課題を解決できることに想到し、本発明を完成した。すなわち本発明は、先端と基端を有し気体通路が分岐したＹ字管と、このＹ字管の先端に接続された軟質プラスチック製チューブと、この軟質プラスチック製チューブの先端に冠着されたノズルおよび、前記プラスチック製チューブの内径より小さな外径を有し基端にハブを備えた容易に屈曲可能な金属製チューブとを含んでなり、前記ノズルは先端が閉塞されており、この閉塞先端部の軸上に前記金属製チューブを挿通可能な孔が設けられるとともに、この孔に隣接して外側に複数の気体流出口が設けられており、前記金属製チューブは、前記Ｙ字管の基端から挿通されてＹ字管の内腔、プラスチック製チューブの内腔およびノズルの孔を貫通してその先端がノズルの先端から僅かに突出されるとともに、ハブが前記Ｙ字管の基端に固定されてなる生体接着剤投与用スプレーヘッドを採用している。
ここで、Ｙ字管の基端には、基端にシリンジ挿着部を有し先端にＹ字管接続部を有するアダプタを接続してもよい。
【発明の効果】
【０００６】
本発明によれば、以下のような効果が期待できる。
ノズルをＹ字管方向に押すと、プラスチックチューブの先端がノズルの閉塞先端部に押されて収縮し、金属チューブの先端がノズルの先端から大きく突出するので、生体接着剤噴霧中に生じた液カスの除去が容易である。また、ノズルが金属チューブをプラスチックチューブの軸上に位置させるので、良好な霧状の薬液噴霧が可能である。
【発明を実施するための最良の形態】
【０００７】
次に、本発明の実施例を図面に基づいて説明する。
図１は本発明の一実施例に係る縦断面図であり、図２は図１の先端部分の拡大図、図３は図１に示すスプレーヘッドの拡大正面図である。また、図４は図１に示すスプレーヘッドにシリンジを装着した状態を示す図である。
本発明のスプレーヘッドは、図１に示すように、気体通路１３が分岐したＹ字管１と、このＹ字管１の先端１１に接続されたプラスチックチューブ２と、このプラスチックチューブ２の先端２１に冠着されたノズル３および、容易に屈曲可能な金属チューブ４とを含んでなる。ノズル３の先端は閉塞しており、その先端閉塞部には軸上に孔３１が設けられるとともに、この孔３１に隣接して外側に複数の気体流出口３２が設けられている。金属チューブ４は、Ｙ字管１の基端１２から挿通されてその内腔１４、プラスチックチューブ２の内腔２２およびノズル３の孔３１を貫通してその先端４１がノズル３の先端から僅かに突出されている。Ｙ字管１の基端１２には基端にシリンジ挿着部５２を有するアダプタ５を接続してもよい。
【０００８】
Ｙ字管１は先端１１と基端１２を有する管状体であり、例えばポリプロピレンやポリエチレン、ポリ塩化ビニル、ポリカーボネート等の透明なプラスチックで形成されている。Ｙ字管１の中間部にはコンプレッサー（図示していない）等に接続される気体通路１３が分岐されており、Ｙ字管１の先端１１にはプラスチックチューブ２が接続され、その基端１２から内腔１４に金属チューブ４が挿着されている。Ｙ字管１の基端には、その基端にシリンジ挿着部５２を有し先端にＹ字管接続部５１を有するアダプタ５を接続してもよい。この構成では、図４に示すように、シリンジ挿着部５２にシリンジＳの先端部分を挿着できるので、スプレーヘッドＳＨをシリンジＳに強固に接続することができる。尚、アダプタ５はＹ字管１と同様のプラスチックで形成される。
【０００９】
プラスチックチューブ２はポリエチレンやポリウレタン、軟質ポリ塩化ビニルなどの軟質プラスチックで形成されたチューブであり、基端がＹ字管１の先端１１に接続されており、先端２１にはノズル３が冠着されている。ノズル３は一般にポリエチレンやポリプロピレン、硬質ポリ塩化ビニル樹脂で形成された管状体であり、図２および図３に示すように、先端が閉塞されている。この閉塞先端部の軸上には金属チューブ４を挿通可能な孔３１が設けられるとともに、この孔３１に隣接して外側に複数の気体流出口３２が設けられている。気体流出口３２は軸対称に通常３〜５個設けられる。
ノズル３はノズル本来の噴霧機能のほか、プラスチックチューブ２の軸上に金属チューブ４を位置させる機能を有しており、薬液注出口（先端４１）を気体流出口３２の中心に位置させることにより、良好な霧状の薬液噴霧を可能にしている。
【００１０】
金属チューブ４は銅や焼鈍されたステンレス等で形成された手などで容易に屈曲可能なチューブであり、プラスチックチューブ２の内径より小さな外径を有し、基端にはポリプロピレンやポリスチレン等のプラスチックで形成されたハブ４２を備えている。Ｙ字管１の基端１２からその内腔１４に挿通された金属チューブ４は、プラスチックチューブ２の内腔２２およびノズル３の孔３１を貫通してその先端４１がノズル３の先端から僅かに突出されるとともに、その基端に設けられたハブ４２がＹ字管１の基端１２部分の内腔と係合し固定されている。金属チューブ先端４１のノズル３先端からの突出長は０〜３ｍｍである。
本発明のスプレーヘッドＳＨは、図４に示すように、そのアダプタ５に生体接着剤を充填したシリンジＳを挿着して使用する。
【００１１】
以上述べたことから明らかなように、本発明によれば、以下のような効果が期待できる。
ノズルをＹ字管方向に押すと、プラスチックチューブの先端がノズルの閉塞先端部に押されて収縮し、金属チューブの先端がノズルの先端から大きく突出するので、生体接着剤噴霧中に生じた液カスの除去が容易である。また、ノズルが金属チューブをプラスチックチューブの軸上に位置させるので、良好な霧状の薬液噴霧が可能である。
【図面の簡単な説明】
【００１２】
【図１】本発明の一実施例に係る縦断面図である。
【図２】図１の先端部分の拡大図である。
【図３】図１に示すスプレーヘッドの拡大正面図である。
【図４】図１に示すスプレーヘッドにシリンジを装着した状態を示す図である。
【符号の説明】
【００１３】
１  Ｙ字管
１１  先端
１２  基端
１３  気体通路
１４  内腔
２  プラスチックチューブ
２１  先端
２２  内腔
３  ノズル
３１  孔
３２  気体流出口
４  金属チューブ
４１  先端
４２  ハブ
５  アダプタ
５１  Ｙ字管接続部
５２  シリンジ挿着部
Ｓ  シリンジ
ＳＨ  スプレーヘッド
【図１】
2007090347.tif 000003
【図２】
2007090347.tif 000004
【図３】
2007090347.tif 000005
【図４】
2007090347.tif 000006